(57)【要約】      （修正有）【課題】洗浄すべき種々の根菜類ｗに最適強さの洗浄作用を簡易操作により迅速にしかも安価な構造により得られる根菜類の洗浄装置の提供。【解決手段】基礎台１と、左右方向傾斜可能に支持された洗浄処理部２と、この洗浄処理部２の左右方向傾斜角度を動力により変更させる傾斜駆動部１６とを備え、洗浄処理部２は左右端面部７ａ、７ｂ、前後側面部７ｃ、７ｄ及び底面部７ｅからなる遮蔽箱体７を形成されると共にこの遮蔽箱体７の内方に、各々が動力で回転駆動される直状回転ブラシ８ａ〜８ｆを並設されるほか、遮蔽箱体７の一方の端面部７ｂに根菜類ｗの通過を可能とした開閉口２８を形成されている。【選択図】図４
0003115380.tif 000002
【実用新案登録請求の範囲】
【請求項１】
基礎台と、この基礎台上に前後向き軸回りの揺動変位可能に支持された洗浄処理部と、この洗浄処理部の左右方向傾斜角度を動力により変化させる傾斜駆動部とを備え、前記洗浄処理部は左右端面部、前後側面部及び底面部からなる遮蔽箱体を形成されると共にこの遮蔽箱体の内方に、左右向きとなされ各々が動力で回転される複数の直状回転ブラシを前後方向視Ｕ字状配列となるように並設されるほか、前記遮蔽箱体の左右一側の端面部で前記複数の直状回転ブラシに対応した個所に被処理物の通過を可能とした開閉口を形成されており、また前記傾斜駆動部は前記洗浄処理部を前記左右一側よりもその他側が高くなるように傾斜させるものとなされていることを特徴とする根菜類の洗浄装置。
【請求項２】
前記傾斜駆動部が、前記基礎台に固定された電動モーターと、この電動モーターの出力軸に固定された原動スプロケットと、前記基礎台に固定された従動スプロケットと、前記原動スプロケットと前記従動スプロケットとに掛け回され且つ前記洗浄処理部を結合片を介して連結されてなる無端状チェーンとで形成されていることを特徴とする請求項１記載の根菜類の洗浄装置。
【請求項３】
前記傾斜駆動部が、前記洗浄処理部をこれの水平姿勢状態と特定左右方向傾斜姿勢状態との間で前記前後向き軸回りへ揺動変位させることを可能となされ且つ、前記水平姿勢状態に対応した位置と前記特定左右方向傾斜姿勢状態に対応した位置とに前記電動モーターを停止させるためのリミットスイッチを設けてなることを特徴とする請求項２記載の根菜類の洗浄装置。
【考案の詳細な説明】
【技術分野】
【０００１】
本考案は、根菜類の洗浄装置に関し、特にさつま芋の洗浄に適するものである。
【背景技術】
【０００２】
左右端面部、前後側面部及び底面部からなる遮蔽箱体を形成されると共にこの遮蔽箱体の内方に、左右向きとなされ各々が動力で回転される複数の直状回転ブラシを前後方向視Ｕ字状配列となるように並設されるほか、前記遮蔽箱体の左右一側の端面部で前記複数の直状回転ブラシに対応した個所に被処理物の取出を容易とした切欠を形成されてなる洗浄処理部と、この洗浄処理部を前記左右一側よりもその他側が高くなるように傾斜させるための脚部を備えたさつま芋などの洗浄装置は存在している。
【０００３】
さつま芋などを洗浄するときには、脚部の長さを手作業で調節することにより洗浄処理部を適当な左右方向傾斜角度に傾斜させると共に、複数の直状回転ブラシを回転状態となした後、複数の直状回転ブラシ配列の内方空間の前記左右一側にさつま芋などを投入する。
【０００４】
こうして投入されたさつま芋などは直状回転ブラシで表面を摺擦されながら直状回転ブラシ上を前記左右一側からその他側へ向け重力作用により移動され、他側へ到達したときには表面の全体を洗浄された状態となり、ここで外方へ取り出されるように処理される。
【０００５】
上記した洗浄装置において、洗浄処理部の洗浄作用の強さを変更する際、左右端部の脚部の長さを調整することで、洗浄処理部の左右傾斜角度を大小に変化させるのであり、この左右傾斜角度が大きいときは直状回転ブラシ上でのさつま芋などの左右方向移動速度が大きくなって、直状回転ブラシによる洗浄時間が短かくなり、この結果、洗浄処理部の洗浄作用は比較的弱いものとなり、逆に前記左右傾斜角度が小さいときは直状回転ブラシ上でのさつま芋などの左右方向移動速度が小さくなって、直状回転ブラシによる洗浄時間が長くなり、この結果、洗浄処理部の洗浄作用は比較的強いものとなる。
【０００６】
【特許文献１】特開２００２−９６０３６号公報
【考案の開示】
【考案が解決しようとする課題】
【０００７】
上記のような洗浄装置を使用してさつま芋などを洗浄するときは例えば次のように実施される。即ち、貯蔵さつま芋（掘って何ヶ月か保管したさつま芋）などを洗浄する場合には、その表皮やこれに付着した土などが硬くなっているため、洗浄処理部の洗浄作用を強くする必要があり、したがって洗浄処理部を水平姿勢状態になして溜洗いし、個々のさつま芋などに対する洗浄作用の付与期間が比較的長くなるように行われる。一方、早堀りさつま芋（掘って間もないさつま芋）などを洗浄する場合には、表皮やこれに付着した土などが比較的軟らかいため、洗浄処理部の洗浄作用を弱くする必要があり、したがって洗浄処理部を適当な左右方向傾斜角度となるように傾斜させて既述にように洗浄し、個々のさつま芋などに対する洗浄作用の付与期間が比較的短くなるように行われる。
【０００８】
このような洗浄において、さつま芋などを能率的に且つ高品質に洗浄するには、洗浄すべきさつま芋などの状態に応じて、洗浄処理部の左右傾斜角度が簡易且つ迅速に変更調整できて洗浄処理部の洗浄作用の強さを迅速に最適状態となし得ることが必要となる。
【０００９】
しかし、上記した従来の洗浄装置において洗浄処理部の左右方向傾斜角度を変更することは、極めて面倒で多くの手間を要するものとなっており、洗浄処理部の洗浄処理能率を低下させる要因をなしている。
【００１０】
本考案は、斯かる実情に鑑みて創案されたものであって、即ち、洗浄すべき種々の根菜類に対し最適強さの洗浄作用を付与することを、簡易操作により迅速にしかも安価な構造により行えるものとした根菜類の洗浄装置を提供することを目的とする。
【課題を解決するための手段】
【００１１】
上記目的を達成するため、本考案は、請求項１に記載したように、基礎台と、この基礎台上に前後向き軸回りの揺動変位可能に支持された洗浄処理部と、この洗浄処理部の左右方向傾斜角度を動力により変化させる傾斜駆動部とを備え、前記洗浄処理部は左右端面部、前後側面部及び底面部からなる遮蔽箱体を形成されると共にこの遮蔽箱体の内方に、左右向きとなされ各々が動力で回転される複数の直状回転ブラシを前後方向視Ｕ字状配列となるように並設されるほか、前記遮蔽箱体の左右一側の端面部で前記複数の直状回転ブラシに対応した個所に被処理物の通過を可能とした開閉口を形成されており、また前記傾斜駆動部は前記洗浄処理部を前記左右一側よりもその他側が高くなるように傾斜させるものとなされていることを特徴とするものである。
【００１２】
この発明は次のように具体化するのがよい。
即ち、請求項２に記載したように、前記傾斜駆動部が、前記基礎台に固定された電動モーターと、この電動モーターの出力軸に固定された原動スプロケットと、前記基礎台に固定された従動スプロケットと、前記原動スプロケットと前記従動スプロケットとに掛け回され且つ前記洗浄処理部を結合片を介して連結されてなる無端状チェーンとで形成されている構成となす。
【００１３】
また請求項３に記載したように、前記傾斜駆動部が、前記洗浄処理部の水平姿勢状態に対応した位置と特定左右方向傾斜姿勢状態に対応した位置とに前記電動モーターを停止させるためのリミットスイッチを設けたものとなされている構成となす。
【考案の効果】
【００１４】
上記した本考案によれば、次のような効果が得られる。
即ち、請求項１記載のものによれば、洗浄対象であるさつま芋などの根菜類に最適強さの洗浄作用を付与することが動力によりほんの数秒程度で行えるものとなる。
【００１５】
請求項２記載のものによれば、傾斜駆動部が、電動モーター、原動スプロケット、従動スプロケット及び無端状チェーンなどで形成されるため、洗浄対象であるさつま芋などの根菜類に最適強さの洗浄作用を付与することが安価且つコンパクトな構造により静粛且つ確実に行えるものとなる。
【００１６】
請求項３記載のものによれば、洗浄処理部をこれの水平姿勢状態と特定左右方向傾斜姿勢状態との間の任意な左右方向傾斜角度に傾斜させることができるものとなり、また洗浄処理部がこれの水平姿勢状態と特定左右方向傾斜姿勢状態との間から外れて前後向き軸回りへ過度に揺動されることが自動的に阻止されるものとなり、さらには電動モーターを正方向又は逆方向の任意な何れかの向きへ始動させる操作により、自動的に、洗浄処理部をその水平姿勢状態と特定左右方向傾斜姿勢状態のうちの任意な何れかの状態に変位させた後にその状態を維持させることができるものとなる。
【考案を実施するための最良の形態】
【００１７】
以下、図面を参照して、本考案の実施の形態について説明する。
図１は本考案に係る洗浄装置の斜視図、図２は前記洗浄装置で根菜類を溜洗いしている状態を示す断面図、図３は図２のｘ−ｘ部を示す断面図、図４は前記洗浄装置により根菜類を連続的に投入し落下させて洗浄している状態を示す断面図である。
【００１８】
図１〜図３において、１は下面の四隅にキャスター１ａを装着された基礎台であり、２はこの基礎台１に支持された洗浄処理部である。
【００１９】
基礎台１は左右方向ｆ１へ長い平面視方形状の枠構造体となされると共に左右端部に起立部材３ａ、３ｂを固設されたものとなされている。そして、基礎台１左端の手前側の起立部材３ａには操作盤４が固定されている。
【００２０】
洗浄処理部２は左右端面部７ａ、７ｂ、前後縦面部７ｃ、７ｄ及び底面部７ｅからなる遮蔽箱体７を形成されると共に、この遮蔽箱体７の内方で左右端面部７ａ、７ｂ間に左右向きとなされた複数の直状回転ブラシ８ａ、８ｂ、８ｃ、８ｄ、８ｅ、８ｆ（図３参照）を軸受９を介し前後方向視Ｕ字状配列となるように且つ回転自在状態に並設されている。この際、前縦面部７ｃは後縦面部７ｄよりも低くなされており、また後縦面部７ｃはその上端縁を延長された延長部ａ１を形成されると共にこの延長部ａ１は内側へ９０度折り曲げられた状態となされるのであり、また底面部７ｅは図３に示すように傾斜面部ｂ１、ｂ１と断面方形状の溝形面部ｂ２で形成されたものとなされる。
【００２１】
さらに洗浄処理部２は遮蔽箱体７の左端面部７ａの左側に各直状回転ブラシ８ａ、８ｂ、８ｃ、８ｄ、８ｅ、８ｆを回転させるためのブラシ駆動部１０を形成されており、このブラシ駆動部１０は左端面板１０ａ及び前後面板１０ｂ、１０ｃ及び左端面部７ａで側周囲を囲まれると共に上面を開閉可能な蓋板１０ｄで覆われた遮蔽領域ｃ１を有し、この遮蔽領域ｃ１の内方にブラシ駆動機構１１を形成されたものとなされている。
【００２２】
この際、ブラシ駆動機構１１は左端面部７ａの左側面から張り出させた支持部材１２上に電動モーター１３を固定し、この電動モーター１３の出力軸に固定された原動スプロケットと各直状回転ブラシ８ａ、８ｂ、８ｃ、８ｄ、８ｅ、８ｆの左端の回転中心軸に固定された図示しない入力スプロケットとをチェーン伝動機構１４で連動連結し、各直状回転ブラシ８ａ、８ｂ、８ｃ、８ｄ、８ｅ、８ｆを右方視右回転させる構成となされている。また前面板１０ｂは平面視９０度折り曲げられた鈎状となされ操作盤４に干渉しない状態となされている。
【００２３】
基礎台１上において洗浄処理部２の左右端部が支持されている。洗浄処理部２の右端部は左右一対の起立部材３ｂ、３ｂに設けられた軸受部に遮蔽箱体７の底面部７ｅの前後各側に固設された前後向き軸１５を支承させることにより、これら前後向き軸１５、１５回りへの揺動可能に支持されており、一方、洗浄処理部２の左端部は基礎台１の左端部上に形成された傾斜駆動機構１６を介して上下変位可能に支持されている。
【００２４】
傾斜駆動部１６は次のようなものとなされるのであって、即ち、基礎台１の左端部に固定されたブレーキ及び減速機構付の電動モーター１７と、この電動モーター１７の前後向き出力軸に固定された原動スプロケット１８と、基礎台１左端部の後側の起立部材３ａの上端から右方へ張り出させた支持片を介して設けられた従動スプロケット１９と、これら原動スプロケット１８と従動スプロケット１９とに掛け回され且つ洗浄処理部２に結合片２０を介して結合された無端状チェーン２１とで形成されたものとなされる。
【００２５】
そして、電動モーター１７が回転作動されることで、その出力軸が減速機構により減速されて回転し、この回転に連動して無端状チェーン２１が原動スプロケット１８と従動スプロケット１９との周りを回動され、この回動により洗浄処理部２がこれの水平姿勢状態と図４に示すような特定傾斜姿勢状態との間で前後向き軸１５、１５回りへ傾斜変位されるようになされている。
【００２６】
電動モーター１７は電力を供給されているときはそのブレーキの制動作用が解除されて円滑に回転作動し、逆に電力の供給が遮断されたときはそのブレーキによる制動作用が付与されてその出力軸の回転が阻止されるものとなされている。  したがって、電動モーター１７は、洗浄処理部２がこれの水平姿勢状態と図４に示す特定傾斜姿勢状態との間の任意な左右傾斜角度位置に変位された状態の下で電力供給を停止されると、そのときの洗浄処理部２の左右傾斜姿勢をそのブレーキの制動力で強制的に維持させるものとなる。
【００２７】
また前記水平姿勢状態に対応した位置と前記特定傾斜姿勢状態に対応した位置には電動モーター１７を停止させるためのリミットスイッチ２２ａ、２２ｂが設けられている。一方のリミットスイッチ２２ａは、洗浄処理部２の左端部が洗浄処理部２の水平姿勢状態に対応した位置よりも下方へ変位しようとするときに洗浄処理部２に連動して作動され、電動モーター１７の作動を停止させるように作用するものであり、また他方のリミットスイッチ２２ｂは、洗浄処理部２が特定傾斜姿勢状態よりも大きな左右傾斜角度となるように変位しようとするときに洗浄処理部２に連動して作動され、電動モーター１７の作動を停止させるように作用するものである。
【００２８】
遮蔽箱体７の延長部ａ１の左右端寄り個所には、アーム部材２３、２３が左右向き軸回りの任意位置に固定可能に設けられており、これらアーム部材２３、２３の先部に左右向きのノズル管２４がアーム部材長手方向の位置変更調整可能に固定されている。ノズル管２４の周面下部には左右方向ｆ１の適当間隔ごとに水噴射ノズル２４ａがその噴射方向の変更調整可能なように装設されている。そして、ノズル管２５にはホース２６を通じて外方から圧力水が供給される。
【００２９】
各水噴射ノズル２４ａからは遮蔽箱体７の内方に向けて水が下向きへ噴射されるのであるが、このように噴射された水を遮蔽箱体７の外方へ流出させるために、撓曲自在な比較的径の大きい排水管２７が底面部７ｅの右端下面個所から延出されている。
【００３０】
遮蔽箱体７の右端面部７ｂには、複数の直状回転ブラシ８ａ、８ｂ、８ｃ、８ｄ、８ｅ、８ｆに対応して、さつま芋ｗなど根菜類の通過を可能とした開閉口２８が形成されている。この開閉口２８は、右端面部７ｂに透孔ｃ１を形成し、この透孔ｃ１を外方から覆う扉体２８ａをこれの上辺回りの左上方への揺動変位可能に装着するほか、レバー部材２９を右端面部７ｂの上端部固定部に支持させると共にこのレバー部材２９と扉体２８ａとをリンク機構で連結し、レバー部材２９の前後揺動操作によりリンク機構を介して扉体２８ａがこれの閉鎖状態と開放状態のそれぞれの位置に維持されることを可能とした構成となされている。
【００３１】
操作盤４には種々の操作部材が設けられるのであって、例えば、ブラシ駆動機構１１用の電動モーター１３を作動させるためのスイッチ３０、電動モーター１７の速度調整摘み３０ａや、傾斜駆動機構１６用の電動モーター１７を作動させるためのスイッチ３１や、電動モーター１３の作動開始時点からの時間経過を測定すると共にこの時間経過が時間設定部の操作により予め設定された設定時間に到達したときにそれを音などで知らせるものとなされたタイマー３２などが設けられている。
【００３２】
次に上記した洗浄装置でさつま芋を洗浄する場合の使用例を説明する。
先ず、貯蔵さつま芋を洗浄する場合について説明する。
必要に応じ、スイッチ３１を操作して電動モーター１７を結合片２０の降下される側へ回転させることにより、結合片が下側のリミットスイッチ２２ａを動作させ、この動作に関連して下側のリミットスイッチ２２ａは電動モーター１７を停止させ、結合片２０がそれ以上に降下されるのを制限する状態となる。このとき洗浄処理部２は図２に示すような水平姿勢状態となる。
また開閉口２８の扉体２８ａは透孔ｃ１を閉鎖した状態になすと共に、ノズル管２４に圧力水を供給して各水噴射ノズル２４ａから水が噴射される状態とする。
【００３３】
この後、タイマー３２の時間設定部で設定時間を適当値に設定すると共に、スイッチ３０で電動モーター１３を作動させ回転速度変更摘み３０ａの操作により各直状回転ブラシ８ａ、８ｂ、８ｃ、８ｄ、８ｅ、８ｆを適当な速度で回転させる。
【００３４】
この状態の下で、貯蔵さつま芋ｗの適当数を遮蔽箱体７の上面の開口個所を通じて直状回転ブラシ８ａ、８ｂ、８ｃ、８ｄ、８ｅ、８ｆ配列の内方に投入する。この際、適当数のさつま芋ｗは直状回転ブラシ８ａ、８ｂ、８ｃ、８ｄ、８ｅ、８ｆ配列の内方の全長に均等に位置させるのがよい。
【００３５】
このように投入されたさつま芋ｗのそれぞれは水噴射ノズル２４ａから勢いよく噴射された水をその表面に打ち付けられると同時に、直状回転ブラシ８ａ、８ｂ、８ｃ、８ｄ、８ｅ、８ｆから回転を付与され自転されるものとなって、その表面の全体を比較的均等に直状回転ブラシ８ａ、８ｂ、８ｃ、８ｄ、８ｅ、８ｆのブラシ毛で摺擦されるようになり、表面に付着した土などを時間の経過に伴って漸次に洗い落とされる。また複数のさつま芋ｗが直状回転ブラシ８ａ、８ｂ、８ｃ、８ｄ、８ｅ、８ｆ上の同じ場所に密集して存在しているときにはさつま芋ｗ同士でそれらの表面を摺擦するようになったり直状回転ブラシ８ａ、８ｂ、８ｃ、８ｄ、８ｅ、８ｆの回転により右方視左回りへ循環送りされるようにもなり、これらの作用によってもさつま芋ｗの洗浄が促進される。
【００３６】
さつま芋ｗから洗い落とされる土などは水噴射ノズル２４ａから噴射された水と一緒に下方へ流下し底面部７ｅの内面上を右方へ流され排水管２７から排出されたり或いは底面部７ｅの内面上に堆積する。
【００３７】
タイマー３２で設定された設定時間が経過したとき、タイマー３２はそのことをブザーなどで知らせる。このブザー音を認識した作業者は、レバー部材２９を操作して扉体２８ａを図４に実線で示すような開放状態となし、次にスイッチ３１を操作して電動モーター１７を結合片２０の上昇する側へ回転させ、洗浄処理部２をその左端部の上昇された左右傾斜状態とする。これにより、直状回転ブラシ８ａ、８ｂ、８ｃ、８ｄ、８ｅ、８ｆ配列の内方において表面全体を綺麗に洗浄された状態となっているさつま芋ｗは直状回転ブラシ８ａ、８ｂ、８ｃ、８ｄ、８ｅ、８ｆの回転で自転されつつ重力作用により右方へ移動され透孔ｃ１を通じて遮蔽箱体７の右外方へ落下されるようになる。
【００３８】
この一方で、底面部７ｅ内面上に堆積した土などは水噴射ノズル２４ａから噴射される水により左右傾斜状態となった底面部７ｅ内面上を右方へ洗い流され排出管２７を通じて外方へ流出される。
【００３９】
遮蔽箱体７内のさつま芋ｗが全て外方へ落下された後、作業者はスイッチ３１を操作して電動モーター１７を作動させ、再び洗浄処理部２を水平姿勢状態となすのであり、その後、レバー部材２９を操作して扉体２８ａを閉鎖し、この後、洗浄すべき適当数のさつま芋ｗを洗浄処理部２の内方に先と同様に投入する。以後は既述と同様な洗浄処理が繰り返される。
【００４０】
この洗浄において直状回転ブラシ８ａ、８ｂ、８ｃ、８ｄ、８ｅ、８ｆの洗浄作用が適当であるか否かは洗浄中又は洗浄後のさつま芋ｗの状態を見て判断するのであり、それが適当でないときは、タイマー３２の設定時間を変更したり、洗浄処理部２の左右傾斜角度の大きさを変更したり、或いは直状回転ブラシ８ａ、８ｂ、８ｃ、８ｄ、８ｅ、８ｆの回転速度を変更する。これらの変更処理は何れも手指による操作部材の操作で迅速に実施されるものである。
【００４１】
次に早堀りさつま芋を洗浄する場合について説明する。
必要に応じ、スイッチ３１を操作して傾斜駆動部１６の電動モーター１７を回転させ、図４に示すように、洗浄処理部２の左端側が右端側よりも高い左右傾斜状態となし、また開閉口２８の扉体２８ａは開放した状態となす
【００４２】
そしてノズル管２４に圧力水を供給し、各水噴射ノズル２４ａから水が噴射される状態にすると共にスイッチ３０及び回転速度変更摘み３０ａの操作によりブラシ駆動部１１の電動モーター１３を作動させ各直状回転ブラシ８ａ、８ｂ、８ｃ、８ｄ、８ｅ、８ｆを適当な速度（一般には貯蔵さつま芋ｗの場合よりも比較的遅い速度）で回転させる。なお、タイマー３２は作動させる必要はない。
【００４３】
この状態の下で、早堀りさつま芋ｗの適当数を遮蔽箱体７の上面の開口個所を通じて直状回転ブラシ８ａ、８ｂ、８ｃ、８ｄ、８ｅ、８ｆ配列の内方左端部に時間当たり投入数量を適当大きさに維持しつつ連続的に投入する。
【００４４】
このように投入されたさつま芋ｗのそれぞれは水噴射ノズル２４ａから勢いよく噴射された水をその表面に打ち付けられると共に、直状回転ブラシ８ａ、８ｂ、８ｃ、８ｄ、８ｅ、８ｆから回転を付与されて自転しつつ、左右傾斜状態の直状回転ブラシ８ａ、８ｂ、８ｃ、８ｄ、８ｅ、８ｆ上を重力作用により右方向へ移動され、やがては透孔ｃ１を通じて遮蔽箱体７の外側へ落下するものとなり、その表面の全体を直状回転ブラシ８ａ、８ｂ、８ｃ、８ｄ、８ｅ、８ｆのブラシ毛で均等に摺擦され表面に付着した土などを洗い落とされる。複数のさつま芋ｗが直状回転ブラシ８ａ、８ｂ、８ｃ、８ｄ、８ｅ、８ｆ上の同じ場所に密集して存在しているときはさつま芋ｗ同士がそれらの表面を摺擦するようになったり直状回転ブラシ８ａ、８ｂ、８ｃ、８ｄ、８ｅ、８ｆの回転で右方視左回りへ循環送りされて攪拌されるようになり、さつま芋ｗの洗浄は均等に行われる。
【００４５】
このように洗浄される各さつま芋ｗは先の貯蔵さつま芋ｗの洗浄の場合に較べて短い期間で、直状回転ブラシ８ａ、８ｂ、８ｃ、８ｄ、８ｅ、８ｆの洗浄作用を付与されるのであり、このような洗浄であっても、早堀りさつま芋ｗの表皮に付着した土は比較的軟らかいため十分綺麗に除去されるのであり、また表皮は比較的軟らかいにも拘わらず損傷を受けることなく洗浄されるものとなる。
【００４６】
さつま芋ｗから洗い落とされた土などは水噴射ノズル２４ａから噴射された水と一緒に下方へ流下し左右傾斜状態の底面部７ｅの内面上を右方へ流され排水管２７から連続的に排出される。
このような洗浄作業は、洗浄すべきさつま芋が無くなるまで継続されるのである。
【００４７】
この洗浄において直状回転ブラシ８ａ、８ｂ、８ｃ、８ｄ、８ｅ、８ｆの洗浄作用が適当であるか否かは透孔ｃ１の近傍に達したさつま芋ｗや、洗浄処理部２から落下したさつま芋ｗの状態を見て判断するのであり、それが適当でないときは、既述のように、洗浄処理部２の左右傾斜角度の大きさを変更したり、或いは直状回転ブラシ８ａ、８ｂ、８ｃ、８ｄ、８ｅ、８ｆの回転速度を変更する。
【図面の簡単な説明】
【００４８】
【図１】本考案に係る洗浄装置の斜視図である。
【図２】前記洗浄装置で根菜類を溜洗いしている状態を示す断面図である。
【図３】図２のｘ−ｘ部を示す断面図である。
【図４】前記洗浄装置により根菜類を連続的に投入し取り出して洗浄している状態を示す断面図である。
【符号の説明】
【００４９】
１  基礎台
２  洗浄処理部
７  遮蔽箱体
７ａ  左端面部
７ｂ  右端面部
７ｃ  前側面部
７ｄ  後側面部
７ｅ  底面部
８ａ  直状回転ブラシ
８ｂ  直状回転ブラシ
８ｃ  直状回転ブラシ
８ｄ  直状回転ブラシ
８ｅ  直状回転ブラシ
８ｆ  直状回転ブラシ
１５  前後向き軸
１６  傾斜駆動部
１７  電動モーター
１８  原動スプロケット
１９  従動スプロケット
２０  結合片
２１  無端状チェーン
２２ａ  リミットスイッチ
２２ｂ  リミットスイッチ
２８  開閉口
【図１】
0003115380.tif 000003
【図２】
0003115380.tif 000004
【図３】
0003115380.tif 000005
【図４】
0003115380.tif 000006